(57)【要約】【課題】簡単な構造で、誰の顔にも息苦しさを感じることがなくフィットし、呼気でメガネも曇らず、冷気や寒風から顔を主体に耳や首まで覆って効果的な保温ができるようにした防寒具を提供する。【解決手段】顔面の目の下から鼻までの部分及び耳部分を覆う上部保温布１と、顔面の鼻と耳から下の部分及び首周りを覆う筒状の下部保温布２とを接合して構成し、上部保温布１の接合部分の一部にたるみを持たせて鼻の形に沿った隆起部５を形成すると共に、その下方に呼気排出用開口部３を形成し、上部保温布１の内側に上部保温布１を耳に取り付け固定する固定紐４を設ける。【選択図】  図１
2013100624.tif 000002
【特許請求の範囲】
【請求項１】
顔面の目の下から鼻までの部分及び耳部分を覆う上部保温布１と、顔面の鼻と耳から下の部分及び首周りを覆う筒状の下部保温布２とを接合して構成し、上部保温布１の接合部分の一部にたるみを持たせて鼻の形に沿った隆起部５を形成すると共に、その下方に呼気排出用開口部３を形成し、上部保温布１の内側に上部保温布１を耳に取り付け固定する固定紐４を設けたことを特徴とする防寒具。
【発明の詳細な説明】
【技術分野】
【０００１】
本発明は、自転車等乗車時、屋外での活動時、外出時において、冷気や寒風から顔面や耳や首を保温する防寒具に関するものである。
【背景技術】
【０００２】
寒い季節、衣類では覆えない手、頭、首を保温するものとして、手袋、帽子、マフラー等の防寒具があるが、顔は冷気にさらされていることが多く、顔面を覆って保温する防寒具が望まれている。
【０００３】
かかる防寒具は、顔面を覆うと息苦しくなるので鼻等から呼気排出口を設ける必要があり、このための工夫を加えた防寒具として、例えば特許文献１に示すような、鼻部分に脱着自在なフェイスマスク部を設けたものや、特許文献２に示すような、鼻の形に沿った膨出部を形成しその下方に呼吸用孔を形成したものが提案されている。
【先行技術文献】
【特許文献】
【０００４】
【特許文献１】特開２０１０−７７５９１号公報
【特許文献２】特開平７−２８９６７９号公報
【発明の概要】
【発明が解決しようとする課題】
【０００５】
ところが、上記特許文献１に示す防寒具は、脱着自在なフェイスマスク部を着けた状態では呼気が排出されにくいため、鼻の上部から呼気がもれメガネが曇り、フェイスマスク部を外した状態では保温ができず、また外したフェイスマスク部を紛失してしまう問題があった。
【０００６】
上記特許文献２に示す防寒具は、鼻の形に沿った膨出部を形成しその下方に呼吸用孔を形成して呼気を排出するようにし、特許文献１の保温できない問題や紛失の問題を解消すると共にメガネが曇らないようにしているが、この防寒具は伸縮生地と保形材と裏生地の３層で素材を形成し、これをプレス成形により顔面の表面形状に沿うように加工形成しているものであり、防寒具として構造的に複雑な上に、プレス加工で形成され形が固定化されたものであるために、千差万別である人間の顔や鼻の形の全てに適合し難いという問題があった。
【０００７】
本発明は、上記問題に鑑みて成したもので、簡単な構造で、誰の顔にもフィットし、息苦しくなく呼気でメガネも曇らず、効果的な保温ができるようにした防寒具を提供することを目的とするものである。
【課題を解決するための手段】
【０００８】
本発明は、顔面の目の下から鼻までの部分及び耳部分を覆う上部保温布１と、顔面の鼻と耳から下の部分及び首周りを覆う筒状の下部保温布２とを接合して構成し、上部保温布１の接合部分の一部にたるみを持たせて鼻の形に沿った隆起部５を形成すると共に、その下方に呼気排出用開口部３を形成し、上部保温布１の内側に上部保温布１を耳に取り付け固定する固定紐４を設けたことを特徴とするものである。
【発明の効果】
【０００９】
本発明の防寒具は、上下２枚の保温布で構成され、両者を接合する際に一部にたるみを持たせるだけの簡単な構成で、顔、耳、首を同時に覆って保温し、メガネの曇らない防寒具が容易に製造でき、しかも布製でフレキシブルであるために異なる顔や鼻の形の人にも全て適合できる。
【００１０】
また上部保温布の内側に取り付けた固定紐で耳に固定しているので、激しい動きにも位置がずれず、肌を露出したり視界を塞ぐこともなく快適かつ安全に着用できる。更に、下部保温布２は筒状になっているため、耳から固定紐を外せばネックウォーマーとして首だけを保温することもでき使い勝手がよい。
【図面の簡単な説明】
【００１１】
【図１】本発明の実施例の斜視図である
【図２】同上の展開図である。
【図３】同上の分解図である
【図４】同上の装着状態を示す側面図である。
【図５】同上の異なる装着状態を示す正面図である。
【発明を実施するための形態】
【実施例】
【００１２】
以下、本発明の実施例を図１から図５に基づき説明する。本発明の基本的構成は、顔面の目の下から鼻までの部分及び耳部分を覆う上部保温布１と、顔面の鼻と耳から下の部分および首周りを覆う下部保温布２からなる。上下保温布１，２は例えばフリースのような軽くて暖かい生地を使用している。
【００１３】
下部保温布２の上下方向の長さは、顔の前側に対応する部分を１６〜２５ｃｍと長くし、後頭部側に対応する部分を１０〜１６ｃｍと短くしている。また、下部保温布２のすそ部分は、体に沿う自然なラインでカーブを描くようにしている。
【００１４】
図３で示すように上部保温布１の中央の鼻部分は３．５〜５ｃｍの幅で左右の耳方向に６〜１２ｃｍと幅を広げている。上部保温布１の上部と下部は円弧を描くように裁断した後、図２に示すように、上部保温布１の下部と下部保温布２の上部と縫い合わせている。その際、上部保温布１の下部中央を８〜１２ｃｍ、下部保温布２の上部中央を６〜８ｃｍ縫製せず、上部保温布１にたるみを設けることで、呼気排出用開口部３が形成されるようにしている。また、上部保温布１の下部と上部の円弧の長さの差から隆起部５が鼻の形に自然に沿うように効果的に形成され、呼気が上部からもれずメガネが曇らないようにしている。
【００１５】
上部保温布１と下部保温布２の後部にはマジックテープ（登録商標）６を取り付けて筒状に形成するようにしている。また、上部保温布１との内側には、左右の耳の位置に耳に取り付け固定するゴム製の固定紐４を取り付けている。このことにより、顔を上下左右に動かしても防寒具が顔にフィットし、位置がずれないので有効に顔や首を保温できる。
【００１６】
而して使用するときには、図４に示すように、上部保温布１と下部保温布２の後部にはマジックテープ（登録商標）６で上下保温布１，２を筒状に形成し、固定紐４を耳に掛けて、顔面や耳や首周りを覆って保温するようにし、また、図５に示すようにネックウォーマーとして使用するときには、耳から固定紐を外して首周りを保温するようにするのである。  
【００１７】
なお、上記実施例では、上部保温布１と下部保温布２はマジックテープ（登録商標）で接合して筒状に形成しているが、ボタン、ファスナー等の接合器具を用いて筒状に形成してもよい。また、上記実施例では、布地を縫い合わせて接合しているが、本発明はこれに限定されるものではなく、接着テープ等により接合してもよい。更に、上記実施例では上部保温布１を筒状に形成しているが、耳が隠れる程度の長さの帯状にしてもよい。
【００１８】
本発明の防寒具は、自転車やバイクの乗車時に、釣り、スキー、ウォーキング、登山、ゴルフなどの屋外活動時にまた寒風にさらされる作業時等々に幅広く利用可能である。
【００１９】
更に、本発明の防寒具は、就寝時でも息苦しくなく着用できるので、肩と掛け布団とのすきまの冷気を感じないで暖かく就寝でき、喉を乾燥させず冷やさないので風邪予防にもなり、子供から老齢の方まで幅広く利用可能である。更に保温布の代わりに遮光布を用いることで顔や首の日よけ対策としても利用できる。
【符号の説明】
【００２０】
１      上部保温布
２      下部保温布
３      呼気排出用開口部
４      固定紐
５      隆起部
６      マジックテープ（登録商標）
【図１】
2013100624.tif 000003
【図２】
2013100624.tif 000004
【図３】
2013100624.tif 000005
【図４】
2013100624.tif 000006
【図５】
2013100624.tif 000007